(57)【要約】口腔内で吸収する改良された歯科調剤が開示されている。歯科調剤は、活性成分が加えられる基剤を含む。活性成分は、その全質量を基準として、ビタミンＣ約０〜２５質量％、補酵素Ｑ−１０（あるいはユビキノン）０〜２５質量％を含み、これらが加えられる。【特許請求の範囲】
【請求項１】
基剤および有効成分を含む口腔吸収歯科調剤において、有効成分が全有効成分に対する質量％で、ビタミンＣ約０〜２５質量％およびユビキノン０〜２５質量％を含む口腔吸収歯科調剤。
【請求項２】
さらに、全有効成分に対する質量％で、ビタミンＥ０〜２５質量％、ビタミンＡ１０〜２５質量％、プロポリス約５〜１５質量％、エキナセア約３〜１０質量％、ブドウ種子抽出物２５質量％を超えない量および１種以上のホメオパシーの生体組織塩約５〜２５質量％を含む、請求項１に記載の調剤。
【請求項３】
全調剤に対する質量％で、該基剤成分が調剤中約６５〜９０質量％配合され、該有効成分が調剤中約８〜３３質量％配合され、調剤が練り歯磨きである、請求項１に記載の調剤。
【請求項４】
全調剤に対する質量％で、該基剤成分が調剤中約４８〜８８質量％配合され、該有効成分が調剤中約１０〜５０質量％配合され、調剤が予防剤ペーストである、請求項１に記載の調剤。
【請求項５】
該基剤が、全基剤に対する質量％で、水約５〜２５質量％、グリセリン約１０〜５０質量％、炭酸カルシウム約２０〜４０質量％およびシリカ約２０〜４０質量％のうちの少なくとも１つを含む、請求項３または４に記載の調剤。
【請求項６】
さらに、任意成分がクランベリー抽出物、ステビア、タンジェリン油およびレモン油のうちの少なくとも１つを含む、請求項１に記載の調剤。
【請求項７】
ホメオパシーの生体組織塩が、フッ化カルシウム、燐酸カルシウム、硫酸カルシウム、燐酸鉄、塩化カリウム、燐酸カリウム、硫酸カリウム、燐酸マグネシウム、塩化ナトリウム、燐酸ナトリウム、硫酸ナトリウムおよびシリカからなる群より選ばれる、請求項２に記載の調剤。
【請求項８】
ホメオパシーの生体組織塩が、約３Ｘ〜１５Ｘの範囲の効能を有する、請求項２に記載の調剤。
【請求項９】
ホメオパシーの生体組織塩が、水８０％／アルコール２０％の分散媒中にある、請求項２に記載の調剤。
【請求項１０】
口腔洗浄剤を含む、請求項１に記載の調剤。
【請求項１１】
チュインガムを含む、請求項１に記載の調剤。
【請求項１２】
歯肉縁下洗浄液を含む、請求項１に記載の調剤。
【請求項１３】
被覆繊維状物を含む、請求項１に記載の調剤。
【請求項１４】
該被覆繊維状物がフロスである、請求項１３に記載の調剤。
【請求項１５】
該被覆繊維状物が歯ブラシの針毛である、請求項１３に記載の調剤。
【請求項１６】
歯間歯ブラシを含む、請求項１に記載の調剤。
【請求項１７】
薬用トローチ剤を含む、請求項１に記載の調剤。
【請求項１８】
局所的に使用される液剤を含む、請求項１に記載の調剤。
【請求項１９】
糖衣ガム粒を含む、請求項１に記載の調剤。
【請求項２０】
小片状もしくは棒状チョコレートまたはヌガーを含む、請求項１に記載の調剤。
【請求項２１】
歯周病またはむし歯に対し免疫的応答を増強するための請求項１に記載の調剤。
【請求項２２】
歯茎からの出血を抑えるための請求項１に記載の調剤。
【請求項２３】
歯周アタッチメント損失を軽減するための請求項１に記載の調剤。
【請求項２４】
歯茎のコラーゲン濃度を増すための請求項１に記載の調剤。
【請求項２５】
歯茎の溝の炎症を抑えるための請求項１に記載の調剤。
【請求項２６】
プラーク形成を抑えるための請求項１に記載の調剤。
【請求項２７】
歯および舌へのプラークの付着を抑えるための請求項１に記載の調剤。
【請求項２８】
バクテリア毒素の上皮細胞壁透過を抑えるための請求項１に記載の調剤。
【請求項２９】
バクテリアの存在下でコラーゲナーゼ酵素活性を抑えるための請求項１に記載の調剤。
【請求項３０】
歯周アタッチメント器官を含んでいる細胞の細胞呼吸および酸素浸透を増すための請求項１に記載の調剤。
【請求項３１】
口内粘膜のアフタ潰瘍の発生を抑えるための請求項１に記載の調剤。
【請求項３２】
口内のアフタ潰瘍の存続期間を減らすための請求項１に記載の調剤。
【請求項３３】
口臭を抑えるための請求項１に記載の調剤。
【請求項３４】
歯磨きのための請求項１に記載の調剤。
【請求項３５】
歯から表面汚れを除くための請求項１に記載の調剤。
【請求項３６】
歯を白くするための請求項１に記載の調剤。
【請求項３７】
請求項１の調剤を局所的に投与することによって人および動物の歯の健康を増進する方法。
【請求項３８】
請求項１の調剤を局所的に投与することによって人および動物の歯周病およびむし歯を治療あるいは防止する方法。
【請求項３９】
基剤および、全有効成分に対する質量％でビタミンＣ約０〜２５質量％およびユビキノン約０〜２５質量％を含む有効成分組成物を含む、口腔吸収歯科調剤のための組成物。
【請求項４０】
さらに、全有効成分に対する質量％で、ビタミンＥ約０〜２５質量％、ビタミンＡ約１０〜２５質量％、プロポリス約５〜１５質量％、エキナセア約３〜１０質量％、ブドウ種子抽出物２５質量％を超えない量および１種以上のホメオパシーの生体組織塩約５〜２５質量％を含む、請求項３９に記載の組成物。
【発明の詳細な説明】
【背景技術】
【０００１】
口腔衛生製品は何世紀にもわたり用いられている。これら製品の最も普遍のもの、練り歯磨きは、通常ゲルまたはペースト基剤に分散された温和な研磨剤を、洗浄のために加えられた洗浄剤、および虫歯を抑えるために加えられたフッ化物とともに含んでいる。栄養補助剤は１世紀に満たない間用いられ、通常飲み込まれる形態で供給され、その後のからだ全体への分散のために消化される。１５０年以上にわたり、ある薬物は口内の粘膜から直接に吸収される様に調剤されている。口内面を通しての薬剤の高い吸収性について証拠が集積されるにともなって、いまや栄養補助剤もまたこのやり方で吸収させることができることが認識されている。さらに、ホメオパシーの薬剤は、これが始められたときから、ごく普通にこのルートで投薬されている。
【０００２】
現在市販されている口腔衛生製品は、歯の洗浄、フッ化物の投与の必要性を喧伝しているが、現存する製品のどれも、歯周病および虫歯に罹っている個人の利益に最もかなうように栄養物やホメオパシーの薬剤などを口腔内に供給するためにこのような製品の能力を十分に活用していない。ある補助栄養剤は口内の慢性病に対する宿主の感受性を軽減するのに必須であることがよく認識されている。
【０００３】
すなわち、口内の主たる慢性病を軽減しおよび予防するためには、より一般的に用いられるビタミンおよびミネラルを含むばかりでなく、有益なハーブ成分ならびにホメオパシーの薬剤を含む特定の栄養剤調剤を提供することが望ましいであろう。
【０００４】
第２に、消化系統を経る同化作用を必要としない、口内で直接的に吸収可能な調剤を提供することが望ましい。
【０００５】
第３に、丸薬を取る必要なくして個人が使用の効果を得ることができるように、この調剤を、通常使用される練り歯磨き、口腔洗浄剤またはチュウインガムのような、キャリアと兼ねることが望ましい。
【０００６】
第４に、この調剤を、歯科用予防剤ペースト、口腔歯肉縁下の洗浄液または生態吸収性あるいは非再吸収性繊維マトリックスのような、歯科医院の環境下において通常に使用されるキャリアと混合することが好ましく、これにより、重要な、口腔内吸収栄養剤、ホメオパシーの薬剤および免疫系刺激剤の重要な恩恵を、歯科医および歯科衛生士の現有する装備の一部とすることができる。
【発明の開示】
【課題を解決するための手段】
【０００７】
大まかに言えば、本発明に従って、口腔内吸収性の改良された歯科用調剤が提供される。歯科用調剤は活性成分が加えられる基剤を含んでいる。活性成分は患者の歯あるいは歯茎に生理的および／または化学的反応を起こす一種以上の成分を含んでいる。とりわけ、活性成分はその中にビタミンＣ約１０〜２５質量％を、および、補酵素Ｑ−１０（あるいはユビキノン）１０〜２５質量％を含んでいる。
【０００８】
任意成分として、ビタミンＥが本発明の組成物の活性成分に、活性成分の量中の約１０〜２５質量％加えられてもよい。活性成分に加えることができる他の成分は、ビタミンＡ、植物由来の物質プロポリス、エキナセアおよび１種以上のホメオパシーの生体組織塩を含んでいる。
【０００９】
好ましい形態において、本発明の歯科用組成物は、使用したときに、歯をきれいにすることならびに息をフレッシュにすることと共に、使用者の歯周病および虫歯に対する免疫的応答を増強する練り歯磨き組成物を含んでいる。練り歯磨きは好ましいのであるが、本発明の調剤は、口腔洗浄剤あるいはチュウインガムとして用いてもよい。それは例えば予防剤ペーストおよび洗浄液のような歯科治療用キャリアとして用いてもよい。
【００１０】
他の実施態様として、活性成分はユビキノンを含み、そして、ビタミンＣなしで、ユビキノンはそこでは１０〜２５質量％の量で存在するであろう。上記したような、他の成分が活性成分に加えられてもよい。
【００１１】
従って、歯周病および虫歯に対する免疫的応答を増強するための口腔歯科用組成物を提供することも本発明の目的である。
【００１２】
さらに本発明の他の目的は、食べることができ安全な歯科用組成物を提供することである。
【００１３】
さらに本発明のさらなる目的は、栄養的に活性な歯科用組成物を提供することにある。
【００１４】
なおその上に本発明の他の目的は、生物的に吸収可能な歯科用組成物を提供することにある。
【００１５】
なおその他の本発明の目的および利点は、一部は明らかであり、一部は以下の記載により明白にされるであろう。
【００１６】
従って、本発明は、特徴および構成を具体化した組成物、すなわち、以下に記載する詳細な開示で例示される要素および成分部品の組み合わせ、を含んでおり、本発明の範囲は特許請求の範囲に示されるであろう。
【発明を実施するための最良の形態】
【００１７】
これが加えられる基剤を除外して、本発明の歯科用調剤は活性成分の総質量に基づいて、ビタミンＣ、およびその前駆体あるいは誘導体の形態を含み、０〜２５質量％を、およびユビキノンとして知られる補酵素Ｑ−１０約１０〜２５質量％も含む。ビタミンＣ成分はアスコルビン酸ナトリウムおよび／またはアスコルビン酸カルシウムの形態であり、両塩はｐＨ中性であり、やや研磨性を有するが容易に吸収されるビタミンＣの形態である。ビタミンＣは歯周病から口内を直すことを増進し、歯にプラークが蓄積するのを抑えるために本発明の歯科用調剤に用いられる。補酵素Ｑ−１０は周知の歯茎の健康を増進する効能のために本発明の歯科用調剤に加えられる。
【００１８】
ビタミンＣおよびユビキノンのほかに、本発明の歯科用調剤の活性成分は、活性成分の総質量に基づいて、ビタミンＥを約０〜２５質量％含んでいてもよい。好ましくは、ビタミンＥ成分はｄ−αトコフェロールの形態で調剤に加えられる。なお、ｄ−βトコフェロール、ｄ−γトコフェロールおよびｄ−δトコフェロールをさらに含んでいてもよく、これらが代わりに含まれてもよい。ビタミンＥのこの形態はαトコフェロールおよび／またはトコフェロール・エステルでもかまわない。ビタミンＥ成分は、歯茎組織の治癒を増強するという認められた価値のゆえに本発明の調剤に加えられる。
【００１９】
本発明の調剤の活性成分に加えてもよい他の成分は、ビタミンＡ、プロポリス、エキナセアおよび一種以上のホメオパシーの生体組織塩を含む。もしビタミンＡを加えるならば、それは活性成分の合計質量を基に約１０〜２５質量％である。ビタミンＡは水分散酢酸ビタミンＡの形態、それはベージュ色の粉末の外観を有する乾燥した魚油を含まないビタミンＡの形態である、で加えられることが好ましい。ビタミンＡは、歯茎組織の治癒を増強するという認められた価値により本発明の調剤に加えられる。
【００２０】
プロポリスは本発明の調剤の活性成分に約５〜１５質量％加えられる。プロポリスは、細菌のない巣を建設するのにミツバチが用いる植物由来の物質で、淡黄色の粉末からなる。プロポリスはバクテリア感染に対する戦いを促進することがよく知られていることと、食作用を刺激するために、すりむき、傷つきまたは炎症を起こしている粘膜を治療するものとして用いるために、およびそれ以外に免疫系を全般に刺激するために、本発明の調剤に加えられる。
【００２１】
エキナセアは本発明の調剤に約３〜１０質量％加えられる。エキナセアはムラサキバレンギク（Ｐｕｒｐｌｅ  Ｃｏｎｅ  Ｆｌｏｗｅｒ）のハーブ抽出物であり、水／グリセリンあるいは水／１０−２０％アルコール分散媒中の淡褐色液体からなる。エキナセアは免疫系を増強しそれによって身体がバクテリアおよびウイルスに抵抗性を有するようになるというよく知られた性質のために本発明の調剤に加えられる。エキナセアは炎症を抑えるおよびリンパ腺組織の排膿（ｄｒａｉｎａｇｅ）を刺激する効果もある。
【００２２】
ブドウ種子抽出物および他の酸化防止剤、メチルスルホニルメタン、ピクノジェノール、および精製もしくは未精製ココア、も活性成分の約０〜２５％の水準で加えられてもよい。
【００２３】
上述したように、１種以上のホメオパシーの生体組織塩は本発明の活性成分に含まれていてもよい。この塩は活性成分に５〜２５質量％加えられる。
【００２４】
好ましい調剤には、ホメオパシーの生体組織塩成分は１２のホメオパシーの薬剤、それは生化学的組織塩として一体的に知られている、の複合体からなるであろう。これらは下記のホメオパシーの塩からなり、それぞれ力価において約３Ｘ〜１５Ｘの範囲にあり、かつ８０％水／２０％アルコール分散媒中にある。
【００２５】
カルクフロア（Ｃａｌｃ  Ｆｌｕｏｒ）−  虫歯感受性を抑え、組織弾性を改善する活性のために用いられる。
【００２６】
カルクフォス（Ｃａｌｃ  Ｐｈｏｓ）−  骨と歯のエナメル質の代謝を調和する活性のために用いられる。
【００２７】
カルクソーファ（Ｃａｌｃ  Ｓｕｌｐｈ）−  血液および口内組織をきれいにする活性のためと息の臭いを改善する働きのために用いられる。
【００２８】
ファーランフォス（Ｆｅｒｒ  Ｐｈｏｓ）−  炎症を緩和し、血液の酸素運搬能力を増強する働きのために用いられる。
【００２９】
ケーライミュア（Ｋａｒｉ  Ｍｕｒ）−  一般的な治癒応答を助ける活性のために用いられる。
【００３０】
ケーライフォス（Ｋａｌｉ  Ｐｈｏｓ）−  歯茎組織の健康をよくする活性のために用いられる。
【００３１】
ケーライソーファ（Ｋａｌｉ  Ｓｕｌｐｈ）−  細胞代謝および細胞解毒を改善する活性のために用いる。
【００３２】
マグフォス（Ｍａｇ  Ｐｈｏｓ）−  一般的な組織強壮剤としての活性のために用いる。
【００３３】
ナットミュア（Ｎａｔ  Ｍｕｒ）−改善された唾液腺活性のために用いられる。
【００３４】
ナットフォス（Ｎａｔ  Ｐｈｏｓ）−  酸中和剤としておよび栄養の吸収の助剤として用いられる。
【００３５】
ナットソーファ（Ｎａｔ  Ｓｕｌｐｈ）−  歯茎組織の調子を改善し、細胞間の毒素を排除するために用いられる。
【００３６】
シリカ（Ｓｉｌｉｃａ）−  生体組織から毒素を除去し、生体組織の調子を改善するために用いられる。
【００３７】
適宜に、ホメオパシーの生体組織調剤は、カルクフロア、カルクフォス、カルクソーファおよびシリカからなる４塩形態であろう。
【００３８】
他の形態として、本発明の調剤の活性成分は、ユビキノンを活性成分中に１０〜２５質量％含まれるであろう。ビタミンＣ成分は加える必要はないが、他の活性成分の成分は加えることができる。
【００３９】
本発明の歯科用調剤の活性成分に加えて、任意成分が活性成分基剤に加えられたり、混合されたりしてもよい。任意成分はクランベリ抽出物、ステビア、タンジェリン油およびレモン油の少なくとも１つからなる。
【００４０】
任意成分のクランベリ抽出物はその中に約２０〜５０質量％存在する。クランベリ抽出物はヨウシュカンボク（Ｖｉｂｕｒｎｕｍ  Ｏｐｌｕｓ）の液果の赤色液であり、口中の種々の構造物にバクテリアが付着するのを予防する活性のため、ならびに香料添加剤としての使用のために用いられる。クランベリ抽出物はカプセル化された粉体または液体の形態で多くの普通の健康食品商から購入できる。
【００４１】
ステビアは任意成分調剤に約２５〜５０質量％の量で加えられてよい。ステビアはステビア（Ｓｔｅｖｉａ  Ｒｅｂａｕｄｉａｎａ）植物体のハーブ抽出物であり、透明でややシロップ状の液体を含む。ステビアは本発明の調剤に自然な甘さと、一方で、同時に歯にプラークが形成されるのを防ぐために用いられる。それはアスコルビン酸ナトリウム（ビタミンＣ）を加えることと関係する塩味と釣り合わせる目的もかなえる。さらに、ステビアはプラークおよび虫歯を形成する他の甘い食べ物が欲しくなるのを抑制する。
【００４２】
タンジェリン油は約１０〜２５質量％の量で任意成分の一部をなしている。タンジェリン油は同名の普通の果物の精油であり、単に自然なフレイバー剤として加えられる。
【００４３】
レモン油も任意成分に約１０〜２５質量％加えられてよく、それは、タンジェリン油のように、同名の普通の果物の精油である。それは組成物中に自然な香料添加剤として用いられる。
【００４４】
練り歯磨きとして、本発明の調剤の基剤は水を約５〜２０質量％、グリセリンを約１０〜４０質量％含む。基剤は、炭酸カルシウム約２０〜４０質量％およびシリカ約２０〜４０質量％のような研磨剤も含む。水成分はろ過、蒸留あるいは脱イオンされる。グリセリン成分は好ましくは、植物性グリセリンであり、植物性石鹸製造に由来する甘いシロップ状の三価のアルコール（Ｃ3Ｈ8Ｏ3）である。それは、湿潤剤および口内滑剤として、ならびに歯の洗浄と栄養の吸収を容易にするために基剤に加えられる。さらにそれは成分を適当な濃度にするための液状分散媒としても働く。
【００４５】
カルシウム成分はその食用可能な粉体からなる。シリカ成分は鉱物石英を粉砕して得られる食用可能な粉体からなる。それは本発明の調剤の基剤に温和な研磨剤および濃度調節剤として用いられる。
【００４６】
全体的に、練り歯磨きとしての本発明の調剤は、約８〜３３質量％の活性成分と約６５〜９０質量％の基剤を含むであろう。１種以上の任意成分が加えられるときには、任意成分は全練り歯磨き中に約０．５〜５質量％存在する。
【００４７】
最も好適な練り歯磨きは質量％において以下のようである：
例１
炭酸カルシウム                          ３２％
シリカ                                  ２６％
グリセリン                              ２３％
脱イオン水                              ９％
ビタミンＡ                              ２％
ビタミンＣ                              ２％
ビタミンＥ                              ２％
補酵素Ｑ−１０                          １％
プロポリス                              ０．６％
エキナセア                              ０．４％
ホメオパシー剤                          １％
クランベリ抽出物                        ０．４％
ステビア抽出物                          ０．３％
タンジェリン油                          ０．１７％
レモン油                                ０．１３％
ビタミンＣとユビキノンの両方をふくむ練り歯磨き組成物のための他の好適な調剤は以下のようである：
例２
炭酸カルシウム                          ３２％
シリカ                                  ２６％
グリセリン                              ２３％
脱イオン水                              ９％
ビタミンＣ                              ３．０％
ビタミンＥ                              ３．７％
補酵素Ｑ−１０                          ３％
タンジェリン油                          ０．１７％
レモン油                                ０．１３％
例３
炭酸カルシウム                          ３２％
シリカ                                  ２６％
グリセリン                              ２３％
脱イオン水                              ９％
ビタミンＡ                              ３％
ビタミンＣ                              ３％
補酵素Ｑ−１０                          ３％
ステビア抽出物                          １％
例４
炭酸カルシウム                          ３２％
シリカ                                  ２６％
グリセリン                              ２３％
脱イオン水                              ８％
ビタミンＣ                              ３％
補酵素Ｑ−１０                          ３％
プロポリス                              ０．５％
エキナセア                              ０．４％
ホメオパシー剤                          ２％
クランベリ抽出物                        ２．５％
例５
炭酸カルシウム                          ３２％
シリカ                                  ２６％
グリセリン                              ２３％
脱イオン水                              ９％
ビタミンＣ                              ２．５％
ビタミンＥ                              ３．５％
補酵素Ｑ−１０                          ２．５％
エキナセア                              ０．２５％
クランベリ抽出物                        １．０５％
レモン油                                ０．２％
例６
炭酸カルシウム                          ３２％
シリカ                                  ２６％
グリセリン                              ２３％
脱イオン水                              ９％
ビタミンＡ                              ３．５％
ビタミンＣ                              ２．５％
補酵素Ｑ−１０                          ２．５％
ホメオパシー剤（４塩形態）              ０．５％
ステビア抽出物                          ０．７％
タンジェリン油                          ０．１７％
レモン油                                ０．１３％
活性成分（ビタミンＣ以外）に単にユビキノンと他の成分からなる本発明の練り歯磨き組成物のために適当な調剤は以下のようである：
例７
炭酸カルシウム                          ３２％
シリカ                                  ２６％
グリセリン                              ２３％
脱イオン水                              ９％
ビタミンＥ                              ４％
補酵素Ｑ−１０                          ４％
エキナセア                              ０．２％
ホメオパシー剤（４塩形態）              ０．５％
クランベリ抽出物                        １．１％
タンジェリン油                          ０．２％
例８
炭酸カルシウム                          ３２％
シリカ                                  ２６％
グリセリン                              ２３％
脱イオン水                              ９％
ビタミンＡ                              ４％
補酵素Ｑ−１０                          ３．５％
プロポリス                              ０．５％
ホメオパシー剤                          １％
クランベリ抽出物                        ０．７５％
ステビア抽出物                          ０．２５％
本発明の調剤は歯科用予防剤ペーストの形態であってもよい。この形態では、基剤成分は水約５〜２５質量％およびグリセリン約１０〜５０質量％を含む。それは炭酸カルシウム約２０〜４０質量％およびシリカ約２０〜４０質量％を含んでいてもよい。
【００４８】
全体的に、予防剤ペーストとしての本発明の調剤は、活性成分が約１０〜５０質量％、基剤成分が４８〜８８質量％を含む。任意成分は約０．５〜２質量％加えられてもよい。
【００４９】
最も好適な予防剤ペースト組成物は質量％において以下のようである：
例９
炭酸カルシウム                          ２９％
シリカ                                  ２５％
グリセリン                              ９％
脱イオン水                              ９％
ビタミンＡ                              ５．５％
ビタミンＣ                              ５．５％
ビタミンＥ                              ５．５％
補酵素Ｑ−１０                          ５．５％
プロポリス                              ２％
エキナセア                              ２％
ホメオパシー剤                          １％
クランベリ抽出物                        ０．４％
ステビア抽出物                          ０．３％
タンジェリン油                          ０．１７％
レモン油                                ０．１３％
ビタミンＣとユビキノンの両方をふくむ予防剤ペースト組成物のための他の好適な調剤は以下のようである：
例１０
炭酸カルシウム                          ２９％
シリカ                                  ２５％
グリセリン                              ９％
脱イオン水                              ９％
ビタミンＡ                              ２％
ビタミンＣ                              ８％
ビタミンＥ                              ７．５％
補酵素Ｑ−１０                          １０％
タンジェリン油                          ０．３％
レモン油                                ０．２％
例１１
炭酸カルシウム                          ２９％
シリカ                                  ２５％
グリセリン                              ９％
脱イオン水                              ９％
ビタミンＣ                              ８％
ビタミンＥ                              ６．５％
補酵素Ｑ−１０                          １０％
エキナセア                              ０．５％
クランベリ抽出物                        ２．８％
レモン油                                ０．２％
例１２
炭酸カルシウム                          ２９％
シリカ                                  ２５％
グリセリン                              ９％
脱イオン水                              ９％
ビタミンＡ                              ８．５％
ビタミンＣ                              ８％
補酵素Ｑ−１０                          １０％
ホメオパシー剤（４塩形態）              ０．５％
ステビア抽出物                          ０．７％
タンジェリン油                          ０．１７％
レモン油                                ０．１３％
活性成分（ビタミンＣ以外）に単にユビキノンと他の成分からなる予防剤ペースト組成物のために適当な調剤は以下のようである：
例１３
炭酸カルシウム                          ２７％
シリカ                                  ２３％
グリセリン                              １０％
脱イオン水                              １２％
ビタミンＥ                              １３％
補酵素Ｑ−１０                          １３％
エキナセア                              ０．５％
ホメオパシー剤（４塩形態）              ０．５％
クランベリ抽出物                        ０．８％
タンジェリン油                          ０．２％
本発明の調剤を調整するためには、必要量のビタミンＡ粉末、ビタミンＣ粉末、ビタミンＥ粉末、プロポリス、および補酵素Ｑ−１０はまず合わされ、均一に構成された微細な粉末となるように一緒に粉砕される。その微細な粉末は調剤の乾燥成分の総計である。
【００５０】
別に、必要量のグリセリン、水、ホメオパシーの生体組織塩、エキナセア抽出物、クランベリ抽出物、ステビア抽出物、タンジェリン油、およびレモン油が合わされ、完全に混ぜ合わされる。レモンおよびタンジェリン油のような精油は活性成分ブレンドの非水溶性成分の可溶化剤として用いてもよい。
【００５１】
次いで、調剤の乾燥成分は撹拌しながらゆっくりと液状成分に加えられ、均一なスラリーが形成されるまで撹拌される。
【００５２】
本発明の調剤のための他の可能な薬物送達（ｄｅｌｉｖｅｒｙ）システムとして、練り歯磨き、ペースト状もしくはゲル状予防剤、被覆デンタルフロス、被覆歯間歯ブラシ、口腔洗浄液、歯茎および口内粘膜に投与する可溶性膜、チュウインガム、薬用トローチ剤（ｌｏｚｅｎｇｅ）、患者および／または歯科専門家による使用のための、トレイ（ｔｒａｙ）もしくは歯茎および歯に直接に局所に使用されるゲル、局所に使用される液剤、被覆歯ブラシ、糖衣ガム粒（ｃａｎｄｙ−ｇｕｍ  ｄｒｏｐｓ）、小片状もしくは棒状チョコレート、ヌガー等、多分無糖かつ虫歯を起こさない栄養補助剤、局所投与のためのまたは摂取のためのものを含んでいる。
【００５３】
このスラリーへ、必要量の粉砕された炭酸カルシウムおよびシリカ粉末が付加的に、この全粉末が取り込まれるまで撹拌されながら加えられ、一方では本発明のペースト組成物として他方では本発明の歯科用予防剤ペーストとして用いるために適当な、ペースト様組成物の均質なかたまりとされる。
【００５４】
さらなる形態において、本発明の調剤は、調剤の全質量を基にした質量％で、クランベリ抽出物約０．１〜５質量％およびステビア（特殊な植物性抽出物）約０．１〜４質量％の少なくとも１つを含む。１つ以上の、上記で示したような、活性成分はこの代わりの調剤に加えられてよい。
【００５５】
練り歯磨き組成物としてのこの追加の具体例は以下のようである：
例１４
炭酸カルシウム                          ３５％
シリカ                                  ３１％
グリセリン                              ２６％
脱イオン水                              ６％
クランベリ抽出物                        １．８％
レモン油                                ０．２％
例１５
炭酸カルシウム                          ３５％
シリカ                                  ３２％
グリセリン                              １６．５％
脱イオン水                              ５％
プロポリス                              １％
エキナセア                              ０．４％
ホメオパシー剤                          ０．５％
ステビア抽出物                          ０．６％
予防剤ペースト組成物としてのこの追加の具体例は以下のようである：
例１６
炭酸カルシウム                          ３５％
シリカ                                  ３２％
グリセリン                              １６．５％
脱イオン水                              １４．５％
クランベリ抽出物                        １．８％
レモン油                                ０．２％
例１７
炭酸カルシウム                          ３６％
シリカ                                  ３１％
グリセリン                              １５．５％
脱イオン水                              １３．５％
プロポリス                              １．０％
エキナセア                              １．０％
ホメオパシー剤                          １．０％
ステビア抽出物                          １．０％
上記した目的は、前述の記載から明らかにされ、有効に達成されることがわかるであろう。そして、本発明の精神及び範囲を逸脱しないで、ある変更が上記組成物に加えることが可能であるので、上記記述に含まれる全事項は説明を目的とするものと解釈されるべきものであり、何ら制限的に解釈されるべきものでは無い。
【００５６】
以下の請求の範囲はここに記載された発明の一般的かつ固有の全特徴を目的としていると解釈されるべきであり、そして本発明の範囲の全記述は、言葉上、それらの範囲におさまるであろう。
【国際公開パンフレット】
2004532831.tif 000002
2004532831.tif 000003
2004532831.tif 000004
2004532831.tif 000005
2004532831.tif 000006
2004532831.tif 000007
2004532831.tif 000008
2004532831.tif 000009
2004532831.tif 000010
2004532831.tif 000011
2004532831.tif 000012
2004532831.tif 000013
2004532831.tif 000014
2004532831.tif 000015
2004532831.tif 000016
2004532831.tif 000017
2004532831.tif 000018
2004532831.tif 000019
2004532831.tif 000020
2004532831.tif 000021
2004532831.tif 000022
2004532831.tif 000023
2004532831.tif 000024
2004532831.tif 000025
【国際調査報告】
2004532831.tif 000026
2004532831.tif 000027